(57)【要約】【課題】表示画面を保護する複数枚の保護フィルムを１枚ずつ適切に剥がせるようにする。【解決手段】弾性リング体４６が保護フィルム４１と保護板４５との間で圧縮され、複数枚の保護フィルム４１における舌片４３のフィルム本体４２と連接した部分の側が弾性リング体４６と表示画面３７と筐体３１の前面との間に挟まれ、舌片４３がフィルム本体４２と連接した部分を中心として全体的に保護板４５の側に曲がるので、画像表示装置２８が遊技盤１５から取り外された状態において、作業者が前側の舌片４３を手で掴み前側に引っ張るのに伴い、前側のフィルム本体４２が舌片４３の側から徐々に前側に剥がれ、２枚または３枚以上の保護フィルムが一度に剥がれることなく、保護フィルムを１枚ずつ適切に剥がすことができる。【選択図】図１
2006122272.tif 000002
【特許請求の範囲】
【請求項１】
遊技機枠の前部には遊技盤が格納され、遊技機枠の裏部には画像を表示画面に電気的に表示形態を変えるように表示する画像表示器を備えた画像表示装置が設けられ、画像表示装置における画像表示器の表示画面には複数枚の保護フィルムが貼付され、表示画面に表示された画像が遊技機枠の前側から保護フィルムを通して見えるようにした遊技機の表示画面保護装置において、保護フィルムが、表示画面を全面的に覆うフィルム本体と、フィルム本体から外側に突出する舌片とを備えたことを特徴とする遊技機の表示画面保護装置。
【請求項２】
前後方向に重ね合わされた複数枚の保護フィルムにおける前側に位置する舌片と後側に位置する舌片とが、互いに前後方向で重ならないように位置をずらして設けられたことを特徴とする請求項１記載の遊技機の表示画面保護装置。
【請求項３】
表示画面に貼付された複数枚の保護フィルムを前側から表示画面に押し付ける保護板が設けられたことを特徴とする請求項１記載の遊技機の表示画面保護装置。
【請求項４】
保護板が複数枚の保護フィルムにおけるフィルム本体を前側から表示画面に押し付ける弾性リング体を備えたことを特徴とする請求項３記載の遊技機の表示画面保護装置。
【発明の詳細な説明】
【技術分野】
【０００１】
本発明は、表示画面を保護する複数枚の保護フィルムが１枚ずつ適切に剥がせる遊技機の表示画面保護装置に関する。
【背景技術】
【０００２】
図９は、パチンコ機の正面を示す。図９において、パチンコ機の遊技機枠１が、遊技店の島と呼ばれる図外の遊技機設置構造体に取り付けるための外枠と呼ばれる固定枠２の前側に、可動枠３を左側に位置するヒンジ４で前側の横方向に片開き可能に備え、可動枠３の前側にパネル枠５および球皿構造体６を左側に位置するヒンジ７で前側の横方向に片開き可能に備え、パネル枠５に前後方向への貫通孔として形成された窓８を塞ぐために、光を透過する性質の有る無色なガラスまたは合成樹脂からなる前面パネル９がパネル枠５の裏面に装着され、球皿構造体６の前面に球受皿部１０と球発射操作機構１１とを備え、可動枠３に球発射機構１２を球皿構造体６の裏側に位置して備える。遊技主体としての遊技盤１５が、遊技盤１５の前面に、内ガイドレール１６の左側部と外ガイドレール１７の左側部との間の隙間として形成された球発射通路１８を備え、ガイドレール１６と外ガイドレール１７とで囲まれた内側の遊技領域１９に、一般入賞部品２０、始動入賞部品２１、可変入賞部品２２、飾り部品２３、風車２４、球戻り防止弁２５、球反発体２６、アウト口２７、図外の遊技釘を備え、遊技盤１５の裏面に、画像表示装置２８を、飾り部品２３の裏側に位置して備える。そして、遊技盤１５がパネル枠５や前面パネル９の裏側に位置するように可動枠３に装着され、画像表示装置２８が可動枠３の裏面または遊技盤１５の裏面に設けられた図外の制御装置により画像を画像表示装置２８における画像表示器の表示画面に映し出すと、この映し出された画像が、遊技機枠１の前側から、窓８、前面パネル９、飾り部品２３に前後方向への貫通孔として形成された画像透視開口２９を通して見えるようになっている。近年、画像表示装置２８には、画像を表示画面に電気的に表示形態を変えるように表示する液晶表示器のような面状の画像表示器が用いられている。そして、画像表示装置２８における画像表示器の表示画面に複数枚の保護フィルムを貼付しておき、前側の保護フィルムが汚れたら、その汚れた前側の保護フィルムを剥がすことによって、複数枚の保護フィルムが無くなるまでの間、表示画面のきれいな状態で画像表示装置２８を使用することが提案されている。しかしながら、保護フィルムは、厚さが５０μｍから１００μｍの範囲の薄い光を透過する性質の有る無色な合成樹脂フィルムの片側表面に、厚さが２５μｍ程度の粘着層または多孔の吸着層を備えた構造である。このため、表示画面に貼付された複数枚の保護フィルムを前側から１枚ずつ剥がす場合、複数枚の保護フィルムどうしが互いにくっつき合っていることから、２枚または３枚以上の保護フィルムが一度に剥がれる欠点がある。そして、一度に、２枚または３枚以上の保護フィルムが剥がれた場合、その剥がれた２枚または３枚以上の保護フィルムから最も前側の保護フィルムを丹念に剥がし、残りのきれいな保護フィルムを手作業で表示画面に空気の入らないように貼付することが難しいので、一度に、２枚または３枚以上の保護フィルムをそのまま破棄しなければならず、経済的に不利であるという欠点がある。
【特許文献１】特開２００１−１７６２８号公報
【発明の開示】
【発明が解決しようとする課題】
【０００３】
発明が解決しようとする問題点は、表示画面に貼付された複数枚の保護フィルムを前側から１枚ずつ剥がす場合、複数枚の保護フィルムどうしが互いにくっつき合い、２枚または３枚以上の保護フィルムが一度に剥がれるという点である。
【課題を解決するための手段】
【０００４】
本発明に係る遊技機の表示画面保護装置は、遊技機枠の前部には遊技盤が格納され、遊技機枠の裏部には画像を表示画面に電気的に表示形態を変えるように表示する画像表示器を備えた画像表示装置が設けられ、画像表示装置における画像表示器の表示画面には複数枚の保護フィルムが貼付され、表示画面に表示された画像が遊技機枠の前側から保護フィルムを通して見えるようにした遊技機の表示画面保護装置において、保護フィルムが、表示画面を全面的に覆うフィルム本体と、フィルム本体から外側に突出する舌片とを備えたことを最も主要な特徴とする。本発明に係る遊技機の表示画面保護装置において、前後方向に重ね合わされた複数枚の保護フィルムにおける前側に位置する舌片と後側に位置する舌片とが、互いに前後方向で重ならないように位置をずらして設けられたり、表示画面に貼付された複数枚の保護フィルムを前側から表示画面に押し付ける保護板が設けられたり、保護板が複数枚の保護フィルムを前側から表示画面に押し付ける弾性リング体を備えたりしてもよい。
【発明の効果】
【０００５】
本発明に係る遊技機の表示画面保護装置は、表示画面に貼付された複数枚の保護フィルムを前側から１枚ずつ剥がす場合、作業者が前側の舌片を手で掴み前側に引っ張るのに伴い、前側のフィルム本体が舌片の側から徐々に前側に剥がれるので、２枚または３枚以上の保護フィルムが一度に剥がれることなく、保護フィルムを１枚ずつ適切に剥がすことができるという利点がある。前後方向に重ね合わされた複数枚の保護フィルムにおける前側に位置する舌片と後側に位置する舌片とが、互いに前後方向で重ならないように位置をずらして設けられれば、作業者が舌片を手で掴む場合、後側の舌片を掴むことなく、前側の舌片だけを適切に掴むことができるという利点がある。表示画面に貼付された複数枚の保護フィルムを前側から表示画面に押し付ける保護板が設けられれば、複数枚の保護フィルムの表示画面への貼付された形態を保護することができるという利点がある。保護板が複数枚の保護フィルムにおけるフィルム本体を前側から表示画面に押し付ける弾性リング体を備えれば、弾性リング体がフィルム本体を表示画面に押し付けることによって、舌片が表示画面よりも前側に折れ曲がり、作業者が舌片を手で掴む場合、舌片を掴みやすくなるという利点がある。
【発明を実施するための最良の形態】
【０００６】
図１乃至図６は、発明を実施するための最良の形態である。図１は、遊技機の表示画面保護装置を縦に切断して示す。図２は、遊技機の表示画面保護装置の主要な構成部品を分解して裏側から示す。図３は、画像表示装置２８と保護フィルム４１とを分解して前側から示す。図５のａ図は、固定具３６を分解して示す。図４は、複数の保護フィルム４１が画像表示装置２８に貼付された形態を前側から示す。図５のｂ図は、固定具３６を固定具取付部３５に取り付けた断面を示す。図６のａ図は、固定具３６を係合部５４に挿入した断面を示す。図６のｂ図は、固定具３６を係合部５４に係合した断面を示す。
【０００７】
図２および図３を参照し、遊技機の表示画面保護装置の主要な構成部品の構造について説明する。図２において、画像表示装置２８は、方形な箱形の筐体３１の内部に面状の画像表示器３２と画像制御装置３３とを格納し、筐体３１の上壁に左右一対の突起３４を筐体３１の上壁から上方に向けて突出し、筐体３１の下壁に左右一対の固定具取付部３５を筐体３１の下壁から下方に向けて突出し、固定具取付部３５に固定具３６を個別に設けた、構造である。画像表示器３２が液晶表示器の場合、バックライトや導光部材および光拡散部材などのような画像表示器３２における図３の表示画面３７を全体的に照明するバックライト機構部材が、画像表示器３２に含まれる。
【０００８】
図３において、画像表示器３２の表示画面３７が、筐体３１の前面に四角形に形成された筐体開口３８に露出する。保護フィルム４１は、２枚あるいは３枚以上の複数枚が、互いに前後方向に重ね合わされた形態である。各保護フィルム４１は、厚さが５０μｍから１００μｍの範囲の薄い光を透過する性質の有る無色な合成樹脂フィルムの片側表面に、厚さが２５μｍ程度の粘着層または多孔の吸着層を備え、フィルム本体４２と舌片４３とを備える。フィルム本体４２は、画像表示装置２８の筐体開口３８を経由し、筐体開口３８に露出する画像表示器３２の表示画面３７に貼付され、表示画面３７を全体的に覆い隠す大きさの方形な形状である。粘着層は、接着剤または粘着剤によって形成される。この粘着層を形成する接着剤または粘着剤は、軽度の圧力が加えられると、容易に変形して、粘着層を挟む２つの物体を接着するのに必要な分子間力を発生する距離まで接近する性質を持ち、固体としてその形状を保持し続けるのに十分な強度を持ち、通常の接着剤のように硬化することなく、常に、接着力を得ることができる物性を有する。舌片４３は、フィルム本体４２の一側部から外側に直線的に突出する。
【０００９】
複数枚の保護フィルム４１が前後方向に重ね合わされる場合、各フィルム本体４２における粘着層または吸着層のそれぞれが画像表示装置２８の側である裏側に配置され、前側に位置するフィルム本体４２における粘着層の裏面または吸着層の裏面が、後側に位置するフィルム本体４２における合成樹脂フィルムの前面に接着または吸着される。このように前後方向に重ね合わされた複数枚の保護フィルム４１における各フィルム本体４２の前面や裏面が、各フィルム本体４２の前面や裏面に沿う方向に位置をずれないように整合されている。
【００１０】
舌片４３においては、前後方向に重ね合わされた複数枚の保護フィルム４１における前側に位置する舌片４３と後側に位置する舌片４３とが、各フィルム本体４２の前面や裏面に沿う方向に一方向に位置をずらして、互いに前後方向で重ならないように、フィルム本体４２に対し設けられる。そして、前後方向に重ね合わされた複数枚の保護フィルム４１における最も後側に位置するフィルム本体４２が、画像表示装置２８の筐体開口３８から表示画面３７に押し付けられ、最も後側に位置するフィルム本体４２における粘着層の裏面または吸着層の裏面が、表示画面３７に空気の入らないように貼付される。このように前後方向に重ね合わされた複数枚の保護フィルム４１が、画像表示装置２８の筐体開口３８から表示画面３７に貼付された場合、各舌片４３は、図４に示すように、筐体開口３８から外側に突出して筐体３１の前面に配置される。よって、図４において、人が、作業者が前側の舌片４３を手で掴み前側に引っ張るのに伴い、前側のフィルム本体４２が当該舌片４３の側から徐々に前側に剥がれるので、２枚または３枚以上の保護フィルム４１が一度に剥がれることなく、保護フィルム４１を１枚ずつ適切に剥がすことができるという利点がある。
【００１１】
図２において、保護板４５は、保護フィルム４１における図３のフィルム本体４２よりも大きな方形な平板状の形状であって、保護板４５の保護フィルム４１の側に向けられる裏面には、ゴムまたは合成樹脂からなる弾性の有る弾性リング体４６が接着材で結合される。弾性リング体４６は、フィルム本体４２と同じ大きさの外径と、フィルム本体４２よりも寸法の小さな内径とによって、平板状の方形な環状である。弾性リング体４６の中心と保護板４５の中心とが１本の直線上に位置する形態としての同軸状となって、弾性リング体４６が保護板４５の裏面に結合された場合、保護板４５の周縁部が弾性リング体４６よりも外側に配置され、弾性リング体４６の内径で囲まれたリング開口には保護板４５の中央部が露出し、リング開口の前側が保護板４５で塞がれる。弾性リング体４６の厚さＴ１は、図３の筐体開口３８の厚さＴ２よりも厚い。具体的には、弾性リング体４６の厚さＴ１は、弾性リング体４６が、画像表示装置２８の筐体開口３８に挿入され、画像表示器３２の表示画面３７に貼付され複数枚の保護フィルム４１に接触した場合、弾性リング体４６よりも外側に位置する保護板４５の裏面が筐体３１の前面に接触しないような、寸法に設定される。
【００１２】
取付部材４８は、遊技盤１５の裏面に部品を固定するために、遊技盤１５の裏側から木ねじのような止ねじで遊技盤１５の裏面に取り付けられる。取付部材４８は、合成樹脂により、取付本体４９、貫通孔５０、表示取付部５１、保護取付部５２を備えた、一体な形状に形成される。貫通孔５０は、画像表示装置２８の表示画面３７に映し出された画像を取付部材４８の前側から見えるようにするためのものであって、取付本体４９に前後方向に貫通し、取付本体４９を裏側から見た場合、保護板４５よりも小さな方形である。
【００１３】
表示取付部５１は、画像表示装置２８を取り付けるためのものであって、上部の差込部５３と、下部の係合部５４とを備える。差込部５３は、貫通孔５０よりも上部の左右に位置し、取付本体４９の裏面から裏側に突出し、差込孔５５を備える。差込孔５５は、差込部５３の下面から上側に向かう内部への窪みまたは差込部５３の上下方向への貫通孔になっている。係合部５４は、貫通孔５０よりも下部の左右に位置し、取付本体４９の裏面から裏側に突出し、係合孔５６を備える。係合孔５６は、係合部５４の裏面から前側に向かう内部への窪みまたは前後方向への貫通孔になっている。
【００１４】
保護取付部５２は、保護板４５を装着するためのものであって、貫通孔５０を囲むように、貫通孔５０の周縁部から取付本体４９の裏面よりも裏側に突出した、方形環状である。保護取付部５２の裏面には、保護板４５の周縁部を収納するための収納室５７が形成される。収納室５７は、保護取付部５２の裏面から前側に向けて直交して窪む側面５８と、側面５８の前端から貫通孔５０の側として内側に向けて直交する受面５９とによって、階段状である。よって、保護板４５の周縁部が取付部材４８の裏側から収納室５７に嵌め込まれることによって、保護板４５が保護取付部５２に装着されて貫通孔５０を裏側で塞ぐ。遊技盤１５には、逃孔６１が前後方向への貫通孔として形成される。
【００１５】
図１および図２を参照し、表示画面保護装置の組み立て方について説明する。図１において、飾り部品２３は、遊技盤１５に次のように取り付けられる。飾り部品２３の周壁６２が遊技盤１５の前側から逃孔６１に挿入され、止ねじ６４が飾り部品２３の前側から飾り部品２３における図外のねじ挿入孔を経由して遊技盤１５に締結されることによって、飾り部品２３が遊技盤１５の前面における遊技領域１９に取り付けられる。図２において、取付部材４８の表示取付部５１や保護取付部５２が遊技盤１５の裏面から離れる方向としての裏側に向けられ、取付部材４８の貫通孔５０が飾り部品２３の図１の周壁６２を周壁６２の外側から包むように飾り部品２３の周壁６２に挿入され、図外の止ねじが取付部材４８の裏側からねじ挿入孔を経由して遊技盤１５に締結されることによって、取付部材４８が遊技盤１５の裏面に取り付けられる。弾性リング体４６が裏側に向けられ、保護板４５が取付部材４８の裏側から保護取付部５２に嵌め込まれる。画像表示装置２８の表示画面３７に貼付された複数枚の保護フィルム４１が取付部材４８の側である前側に向けられ、画像表示装置２８の左右一対の突起３４が取付部材４８における表示取付部５１の差込孔５５に下側から上側へと差し込まれた後、画像表示装置２８の筐体３１の下部が差込孔５５に差し込まれた突起３４を中心として前側に移動される。
【００１６】
これに伴い、図１に示すように、弾性リング体４６の裏面が画像表示装置２８の筐体開口３８に取り込まれて複数枚の保護フィルム４１の最も前側に位置する保護フィルム４１の前面を画像表示装置２８の表示画面３７の側に押し付け、弾性リング体４６が保護フィルム４１と保護板４５との間で圧縮される。これによって、複数枚の保護フィルム４１における舌片４３のフィルム本体４２と連接した部分の側が弾性リング体４６と表示画面３７と筐体３１の前面との間に挟まれ、舌片４３がフィルム本体４２と連接した部分とを中心として全体的に保護板４５の側に曲がる。そして、固定具３６が後側から前側に作業者によって押されることによって、固定具３６が取付部材４８の係合孔５６に後側から前側に挿入されて係合し、固定具取付部３５の前面が係合部５４の裏面に接触し、画像表示装置２８が上部の差込部５３と下部の係合部５４とで取付部材４８に取り付けられる。
【００１７】
このように、画像表示装置２８および保護板４５が遊技盤１５の裏面において取付部材４８に取り付けられた場合、弾性リング体４６が圧縮されて復元しようとする反力によって保護板４５を遊技盤１５の側に押しているので、保護板４５が保護取付部５２の収納室５７から脱落することなく保護取付部５２に支持され、保護板４５の前面と飾り部品２３の周壁６２の裏面との間の隙間６５は、パチンコ球と呼ばれる球が入り込めない寸法に形成されるという利点がある。また、舌片４３がフィルム本体４２と連接した部分と中心として全体的に保護板４５の側に曲がるので、画像表示装置２８が遊技盤１５から取り外された状態において、作業者が舌片４３を手で掴む場合、舌片４３を掴みやすくなるという利点がある。前後方向に重ね合わされた複数枚の保護フィルム４１における前側に位置する舌片４３と後側に位置する舌片４３とが、互いに前後方向で重ならないように位置をずらして設けられているので、作業者が舌片４３を手で掴む場合、後側の舌片４３を掴むことなく、前側の舌片４３だけを適切に掴むことができるという利点がある。表示画面３７に貼付された複数枚の保護フィルム４１を前側から表示画面３７に押し付ける図２の保護板４５が設けられているので、図４に示す複数枚の保護フィルム４１の表示画面３７への貼付された形態を保護することができるという利点がある。
【００１８】
そして、前面パネル９が飾り部品２３の前側で遊技領域１９から前側に離れて飾り部品２３および遊技領域１９を被覆した状態において、前面パネル９と遊技領域１９との間には、球の流下する空間６６が形成され、前面パネル９と飾り部品２３の周壁６２の前面との間の隙間６７は、球が入り込めない寸法に形成される。よって、前面パネル９と遊技領域１９との間を流下する球が飾り部品２３の周壁６２の側方から画像透視開口２９に取り込まれて画像表示装置２８の側に移動した場合、当該画像表示装置２８の側に移動した球は、保護板４５に衝突し、画像表示装置２８に衝突しない。遊技領域１９の側から画像透視開口２９に取り込まれた球Ｐは、飾り部品２３における周壁６２の下壁を前面パネル９の側である前側に流下して周壁６２の下壁から矢印Ｘ１で示す下方の遊技領域１９の側に落下する。
【００１９】
図５ａ図を参照し、固定具３６の構造について説明する。固定具３６は、係合具７１と操作具７２とを備える。係合具７１および操作具７２は、互いに別々に形成される。係合具７１は、前後方向に貫通する中心孔７３を有する円筒本体７４の一端部に受部７５を備え、円筒本体７４の他端部に掛止部７６を備える。受部７５は円筒本体７４の一端部より軸心方向の一方の外側に開口する皿状である。受部７５と掛止部７６との間における円筒本体７４の外周面は、受部７５の外径と掛止部７６の外径との双方よりも細い、くびれ部７７として形成される。掛止部７６は、割溝７８によって、周方向に独立した複数の片持ち梁のような弾性片として形成される。割溝７８は、掛止部７６の他端部とくびれ部７７との間を、軸心方向と直径方向とに切り欠かれる。掛止部７６を構成する各弾性片の中心孔７３を囲む内面には、突起７９が、軸心方向に向けて突出する。
【００２０】
操作具７２は、棒本体８１の一端部に鍔８２とくびれ部８３と摘み８４とを備え、棒本体８１の他端部に係合溝８５を備える。棒本体８１は、受部７５の方向から中心孔７３に挿入されるとともに、中心孔７３に挿入された場合に突起７９を中心孔７３の径方向外側に押して掛止部７６を押し広げる、太さである。鍔８２は、棒本体８１の外径よりも大きな外径であって、受部７５における周壁で囲まれた内部に取り込まれる大きさである。くびれ部８３は、鍔８２から同軸状に突出し、鍔８２と摘み８４との双方よりも細い。摘み８４は、摘み８４から同軸状に突出し、くびれ部８３と鍔８２との双方よりも太い円盤形状である。
【００２１】
図５のｂ図を参照し、固定具３６が固定具取付部３５に取り付けられた構造について説明する。固定具取付部３５には取付孔８７が形成される。そして、係合具７１のくびれ部７７が、固定具取付部３５の前側から取付孔８７に嵌め込まれることによって、受部７５と掛止部７６とが、取付孔８７の周囲における固定具取付部３５を挟む格好となり、係合具７１が、固定具取付部３５に取り付けられ、掛止部７６が固定具取付部３５の前面８８より突出する。そして、操作具７２の棒本体８１が、係合具７１の受部７５の方向から中心孔７３に挿入されることによって、係合溝８５が、突起７９に嵌め込まれた格好となり、操作具７２が、係合具７１に取り付けられる。これによって、固定具３６が固定具取付部３５に取り付けられる。
【００２２】
図６のａ図を参照し、固定具取付部３５に装着された固定具３６が取付部材４８における係合部５４に取り付けられる構造について説明する。固定具取付部３５に取り付けられた固定具３６の固定具取付部３５より前側に突出した先端部としての係合具７１における掛止部７６が、係合部５４の前側から係合孔５６の内部に挿入され、係合具７１の周囲における固定具取付部３５の前面８８が係合孔５６の周囲における係合部５４の裏面８９に接触される。
【００２３】
次に、図６のｂ図に示すように、人が、操作具７２の摘み８４を矢印Ｘ２で示す前側に押すことによって、上記突起７９と係合溝８５との嵌まり合いが解除され、棒本体８１が中心孔７３の内部を奥に進入する。これに伴い、棒本体８１の外周面が、突起７９を中心孔７３の径方向外側に押して、掛止部７６を押し広げる。この中心孔７３の径方向外側に押し広げられた掛止部７６が、係合孔５６を径方向外側に突っ張るように、係合孔５６に接触する。これによって、固定具３６が係合孔５６に押し込まれた形態となり、固定具取付部３５が、係合部５４に、固定具３６で、取り付けられる。
【００２４】
このように固定具取付部３５が、係合部５４に、固定具３６で、取り付けられた状態において、人が、操作具７２の摘み８４を矢印Ｘ３で示す後側に引くことによって、棒本体８１が中心孔７３の奥から手前に後退する。これに伴い、上記棒本体８１の外周面による突起７９に対する中心孔７３の径方向外側への押し力が弱くなり、掛止部７６が自身の弾性によって径方向内側に復帰し、突起７９が係合溝８５に嵌まり込み、掛止部７６が係合孔５６から離れ、図６のａ図の状態になる。これによって、固定具３６と係合孔５６との係合が解除された形態となり、人が固定具取付部３５を支持して係合部５４から離れる方向に移動すると、固定具３６の装着されたままの固定具取付部３５が係合部５４から取り外される。
【００２５】
人が、図３の画像表示装置２８の突起３４を取付部材４８の差込部５３に下側から差し込み、画像表示装置２８の固定具３６を取付部材４８の係合部５４に裏側から挿入することによって、画像表示装置２８が遊技盤１５の裏面に取り付けられ、固定具３６を係合部５４から裏側に引き出して取り外し、突起３４を取付部材４８の差込部５３から下側に引き出すことによって、画像表示装置２８が遊技盤１５の裏面から取り外せるので、画像表示装置２８の遊技盤１５への着脱を容易に行うことができるという利点がある。
【産業上の利用可能性】
【００２６】
図７は、別の形態における遊技機の表示画面保護装置を縦に切断して示す。図７では、保護板４５が画像透視開口２９を塞ぐように、保護板４５が、飾り部品２３における遊技盤１５の前側から逃孔６１を経由して裏側に突出した周壁６２の後端部に溶剤系の接着剤で取り付けられたことによって、取付部材４８から保護板４５の周縁部を収納するための図１に示す収納室５７が削除された簡単な構造である。
【００２７】
図８は別の形態における複数枚の保護フィルム４１からなる積層構造を示す。図８のａ図では、複数枚の保護フィルム４１が同じ大きさであって、各々の保護フィルム４１が一方向にずらされた状態で重ね合わされ、後側の保護フィルム４１の舌片４３が前側の保護フィルム４１の舌片４３よりも外側に突出する。図８のｂ図では、複数枚の保護フィルム４１が同じ大きさであって、各々の保護フィルム４１のフィルム本体４２が位置ずれなく重ね合わされ、後側の保護フィルム４１の隅部に切除部９０が設けられ、前側の保護フィルム４１における舌片４３が後側の保護フィルム４１における切除部９０と対向配置されて切除部９０に露出する。図８のｃ図では、複数枚の保護フィルム４１におけるフィルム本体４２が同じ大きさであって、各々の保護フィルム４１における舌片４３の大きさが異なり、前側の舌片４３が後側の舌片４３よりも小さい。図８のｄ図では、複数枚の保護フィルム４１が同じ大きさであって、各々の保護フィルム４１が互い違いにずらされた状態で重ね合わされ、前側の保護フィルム４１の舌片４３が後側の保護フィルム４１の舌片４３よりも外側に突出する。図８のｅ図では、複数枚の保護フィルム４１におけるフィルム本体４２が同じ大きさであって、各々の保護フィルム４１における舌片４３の配置が異なり、前側の舌片４３が右側に配置され、後側の舌片４３が左側に配置される、というように、各々の保護フィルム４１におけるフィルム本体４２が平面内で１８０度回転した状態で重ね合わされる。この様に複数枚の保護フィルム４１を積層することによっても、人が舌片４３を掴みやすくなる。
【図面の簡単な説明】
【００２８】
【図１】遊技機の表示画面保護装置を示す図９のА−Ａ線断面図に相当する断面図（最良の形態）。
【図２】表示画面保護装置を示す分解斜視図（最良の形態）。
【図３】画像表示装置と保護フィルムと示す分解斜視図（最良の形態）。
【図４】保護フィルムの剥がれる状態を示す斜視図（最良の形態）。
【図５】ａ図は固定具の分解斜視図、ｂ図は固定具の取付構造の断面図（最良の形態）。
【図６】ａ図は固定具の係合部への挿入を示す断面図、ｂ図は固定具の係合部への合を示す断面図（最良の形態）。
【図７】遊技機の表示画面保護装置を示す断面図（別の形態）。
【図８】複数枚の保護フィルムの積層構造を示す斜視図（別の形態）。
【図９】パチンコ機の正面図（一般例）。
【符号の説明】
【００２９】
１    遊技機枠
１５  遊技盤
２８  画像表示装置
３２  画像表示器
３７  表示画面
４１  保護フィルム
４２  フィルム本体
４３  舌片
４５  保護板
４６  弾性リング体
【図１】
2006122272.tif 000003
【図２】
2006122272.tif 000004
【図３】
2006122272.tif 000005
【図４】
2006122272.tif 000006
【図５】
2006122272.tif 000007
【図６】
2006122272.tif 000008
【図７】
2006122272.tif 000009
【図８】
2006122272.tif 000010
【図９】
2006122272.tif 000011